(57)【特許請求の範囲】
【請求項１】
撮影シーンが予め定められた特定のシーンであるか否かを判別するシーン判別装置であって、
可視光領域に感度を有する第１のセンサー部と濃赤から近赤外領域に感度を有する第２のセンサー部を備え、前記撮影シーンで得られた画像を受けて、前記画像を複数の測光領域に分割し、前記測光領域の各々において前記第１のセンサー部の出力に応じてその輝度値を測光するとともに、前記測光領域の各々において前記第２のセンサー部の出力に応じてその赤外値を測光する測光手段と、
前記輝度値および前記赤外値に応じて前記撮影シーンが前記特定のシーンであるか否かを判別するシーン判別手段と、を有し、
前記シーン判別手段は、前記特定のシーンとして、蝋燭の光で被写体が照らされるキャンドルシーンであるか否かを判別することを特徴とするシーン判別装置。
【請求項２】
前記シーン判別手段は、前記測光領域の各々における輝度値を平均して平均輝度値を求めるとともに、前記測光領域の各々における赤外値を平均して平均赤外値を求めて、前記平均輝度値および前記平均赤外値がそれぞれ予め定められた第１の条件および第２の条件を満たさないと前記撮影シーンが前記特定のシーンでないと判定することを特徴とする請求項１に記載のシーン判別装置。
【請求項３】
前記シーン判別手段は、前記平均輝度値が所定の輝度値以上であると前記第１の条件を満たさないと判定し、前記平均赤外値と平均輝度値Ｙａとの比率が所定の値未満であると前記第２の条件を満たさないと判定することを特徴とする請求項２に記載のシーン判別装置。
【請求項４】
前記第１のセンサー部は、所定の第１の分光、第２の分光、および第３の分光に対して感度を有しており、
前記シーン判別手段は、前記測光領域の各々における前記第１の分光、前記第２の分光、および前記第３の分光をそれぞれ平均して第１の平均色値、第２の平均色値、および第３の平均色値を求め、さらに、第１の平均色値／第２の平均色値を第１の比率として求めるとともに、第３の平均色値／第２の平均色値を第２の比率として求めて、前記第１の比率に対して前記第２の比率が予め定められた判定閾値未満であると、前記撮影シーンは前記特定のシーンでないと判定することを特徴とする請求項２又は３に記載のシーン判別装置。
【請求項５】
前記シーン判別手段は、前記平均輝度値の時間的な変化を検出して、前記時間的な変化が所定の規則性を有すると、前記撮影シーンは前記特定のシーンでないと判定することを特徴とする請求項４に記載のシーン判別装置。
【請求項６】
前記第１の分光、前記第２の分光、および前記第３の分光は、それぞれ青色、緑色、および赤色であることを特徴とする請求項４に記載のシーン判別装置。
【請求項７】
請求項５に記載のシーン判別装置と、
前記シーン判別装置で前記撮影シーンが前記特定のシーンであると判別されると、前記測光領域の各々において前記輝度値が所定の輝度値以上である高輝度領域について重み付けを大きくして前記測光領域の各々における輝度値を平均して第１の平均被写体輝度値を求める算出手段と、
前記第１の平均被写体輝度値および予め定められた第１のプログラム線図を用いて第１のシャッター速度、第１の絞り値、および第１の撮影感度を設定する設定手段と、
前記第１の平均被写体輝度値、前記第１のシャッター速度、前記第１の絞り値、および前記第１の撮影感度に応じてフラッシュ発光を行うか否かを決定する発光制御手段と、
を有することを特徴とする撮像装置。
【請求項８】
前記シーン判別装置で前記撮影シーンが前記特定のシーンでないと判別されると、前記算出手段は、前記測光領域において所定の少なくとも１つの測光領域について重み付けを大きくして前記測光領域の各々における輝度値を平均して第２の平均被写体輝度値を求め、前記設定手段は前記第２の平均被写体輝度値および予め定められた第２のプログラム線図を用いて第２のシャッター速度、第２の絞り値、および第２の撮影感度を設定し、
前記発光制御手段は、前記第２の平均被写体輝度値、前記第２のシャッター速度、前記第２の絞り値、および前記第２の撮影感度に応じてフラッシュ発光を行うか否かを決定することを特徴とする請求項７に記載の撮像装置。
【請求項９】
前記所定の少なくとも１つの測光領域は、前記画像の中央に位置する領域又は前記画像において合焦された領域であることを特徴とする請求項８に記載の撮像装置。
【請求項１０】
撮影シーンが予め定められた特定のシーンであるか否かを判別するシーン判別装置の制御方法であって、
可視光領域に感度を有する第１のセンサー部と濃赤から近赤外領域に感度を有する第２のセンサー部を備える測光用センサーを用いて、前記撮影シーンで得られた画像を受けて、前記画像を複数の測光領域に分割し、前記測光領域の各々において前記第１のセンサー部の出力に応じてその輝度値を測光するとともに、前記測光領域の各々において前記第２のセンサー部の出力に応じてその赤外値を測光する測光ステップと、
前記輝度値および前記赤外値に応じて前記撮影シーンが前記特定のシーンであるか否かを判別するシーン判別ステップと、を有し、
前記シーン判別ステップでは、前記特定のシーンとして、蝋燭の光で被写体が照らされるキャンドルシーンであるか否かを判別することを特徴とする制御方法。
【請求項１１】
撮影シーンが予め定められた特定のシーンであるか否かを判別するシーン判別装置で用いられる制御プログラムであって、
前記シーン判別装置が備えるコンピュータに、
可視光領域に感度を有する第１のセンサー部と濃赤から近赤外領域に感度を有する第２のセンサー部を備える測光用センサーを用いて、前記撮影シーンで得られた画像を受けて、前記画像を複数の測光領域に分割し、前記測光領域の各々において前記第１のセンサー部の出力に応じてその輝度値を測光するとともに、前記測光領域の各々において前記第２のセンサー部の出力に応じてその赤外値を測光する測光ステップと、
前記輝度値および前記赤外値に応じて前記撮影シーンが前記特定のシーンであるか否かを判別するシーン判別ステップと、を実行させ、
前記シーン判別ステップでは、前記特定のシーンとして、蝋燭の光で被写体が照らされるキャンドルシーンであるか否かを判別することを特徴とする制御プログラム。
【発明の詳細な説明】
【技術分野】
【０００１】
本発明は、シーン判別装置、その制御方法、および制御プログラム、並びに撮像装置に関し、特に、シーン判別結果に応じた露出制御およびフラッシュ発光制御に関する。
【背景技術】
【０００２】
一般に、デジタルカメラなどの撮像装置においては、被写体の輝度が所定の条件よりも低いと自然光撮影からフラッシュ撮影に切替えることが行われている。そして、自然光撮影を行う際には、測光によって得られた被写体輝度値に応じてシャッター速度（露光時間）、絞り値、および撮影感度（撮像ゲイン）などの露出条件を決定している。
【０００３】
露出条件決定の際には、手ぶれ又は被写体ぶれの影響を低減するためシャッター速度の低速限界および撮影レンズの最大口径で決定される開放絞り値とノイズなどを許容する最高感度とを考慮する必要がある。そして、開放絞り値および最高感度を設定しても、露出が不足する場合には、自然光撮影からフラッシュ撮影に切替えられる。
【０００４】
ところで、自然光撮影からフラッシュ撮影に切り替える際には、撮影シーンの判別を行うことなく、開放絞り値および最高感度に応じて切り替えを行っている。この結果、撮影シーンによっては良好な画像が得られないことがある。
【０００５】
例えば、蝋燭の光のみで主被写体が照らされる所謂キャンドルシーンにおいて、フラッシュ撮影を行うと、フラッシュ光によって主被写体が明るくなり過ぎることがある。そして、蝋燭の光による赤寄りの色味が消されて見た目の雰囲気と異なる画像となってしまう。
【０００６】
このような制御によって特定の撮影シーンで生じる問題を解決するため、特定の撮影シーンにおいてユーザーの指定によってフラッシュ撮影を行うか否かを設定する撮影モードを備える必要がある。
【０００７】
例えば、ユーザーがキャンドルライト撮影用モードに設定すると、撮像素子におけるシャッタスピードを遅くして、さらに感度をアップさせるとともに、ホワイトバランスを太陽光（約５０００Ｋ）に合わせるようにした撮像装置がある（特許文献１参照）。これによって、この撮像装置では、フラッシュ撮影を行うことなくキャンドルライトの赤みなどの雰囲気を残した画像を得るようにしている。
【０００８】
さらには、可視光領域を測光して第１の測光結果を得るとともに、赤外光領域を測光して第２の測光結果を得て、第１の測光結果を第２の測光結果で補正して露出量を決定するようにした撮像装置がある（特許文献２参照）。
【先行技術文献】
【特許文献】
【０００９】
【特許文献１】特開２０１２−７０３００号公報
【特許文献２】特開２００５−１１５１４５号公報
【発明の概要】
【発明が解決しようとする課題】
【００１０】
ところが、特許文献１に記載の撮像装置においては、キャンドルシーンを撮影する際には、その都度ユーザーはキャンドルライト撮影用モードに設定する必要がある。すなわち、キャンドルシーンなどの特定の撮影シーンを自動的に判別して露出制御およびフラッシュ発光制御を行うことができない。
【００１１】
さらに、特許文献２に記載の撮像装置においては、第１の測光結果を第２の測光結果で補正して測光用センサーと撮像素子との分光特性の相違から生じる露出ずれを改善している。しかしながら、キャンドルシーンなどの特定の撮影シーンを自動的に判別して露出制御およびフラッシュ発光制御を行うことができない。
【００１２】
そこで、本発明の目的は、キャンドルシーンなどの特定の撮影シーンを精度よく判別して、当該判別結果に応じて露出制御およびフラッシュ発光制御を行うことのできるシーン判別装置、その制御方法、および制御プログラム、並びに撮像装置を提供することにある。
【課題を解決するための手段】
【００１３】
上記の目的を達成するため、本発明によるシーン判別装置は、撮影シーンが予め定められた特定のシーンであるか否かを判別するシーン判別装置であって、可視光領域に感度を有する第１のセンサー部と濃赤から近赤外領域に感度を有する第２のセンサー部を備え、前記撮影シーンで得られた画像を受けて、前記画像を複数の測光領域に分割し、前記測光領域の各々において前記第１のセンサー部の出力に応じてその輝度値を測光するとともに、前記測光領域の各々において前記第２のセンサー部の出力に応じてその赤外値を測光する測光手段と、前記輝度値および前記赤外値に応じて前記撮影シーンが前記特定のシーンであるか否かを判別するシーン判別手段と、を有し、前記シーン判別手段は、前記特定のシーンとして、蝋燭の光で被写体が照らされるキャンドルシーンであるか否かを判別することを特徴とする。
【００１４】
本発明による撮像装置は、上記のシーン判別装置と、前記シーン判別装置で前記撮影シーンが前記特定のシーンであると判別されると、前記測光領域の各々において前記輝度値が所定の輝度値以上である高輝度領域について重み付けを大きくして前記測光領域の各々における輝度値を平均して第１の平均被写体輝度値を求める算出手段と、前記第１の平均被写体輝度値および予め定められた第１のプログラム線図を用いて第１のシャッター速度、第１の絞り値、および第１の撮影感度を設定する設定手段と、前記第１の平均被写体輝度値、前記第１のシャッター速度、前記第１の絞り値、および前記第１の撮影感度に応じてフラッシュ発光を行うか否かを決定する発光制御手段と、を有することを特徴とする。
【００１５】
本発明による制御方法は、撮影シーンが予め定められた特定のシーンであるか否かを判別するシーン判別装置の制御方法であって、可視光領域に感度を有する第１のセンサー部と濃赤から近赤外領域に感度を有する第２のセンサー部を備える測光用センサーを用いて、前記撮影シーンで得られた画像を受けて、前記画像を複数の測光領域に分割し、前記測光領域の各々において前記第１のセンサー部の出力に応じてその輝度値を測光するとともに、前記測光領域の各々において前記第２のセンサー部の出力に応じてその赤外値を測光する測光ステップと、前記輝度値および前記赤外値に応じて前記撮影シーンが前記特定のシーンであるか否かを判別するシーン判別ステップと、を有し、前記シーン判別ステップでは、前記特定のシーンとして、蝋燭の光で被写体が照らされるキャンドルシーンであるか否かを判別することを特徴とする。
【００１６】
本発明による制御プログラムは、撮影シーンが予め定められた特定のシーンであるか否かを判別するシーン判別装置で用いられる制御プログラムであって、前記シーン判別装置が備えるコンピュータに、可視光領域に感度を有する第１のセンサー部と濃赤から近赤外領域に感度を有する第２のセンサー部を備える測光用センサーを用いて、前記撮影シーンで得られた画像を受けて、前記画像を複数の測光領域に分割し、前記測光領域の各々において前記第１のセンサー部の出力に応じてその輝度値を測光するとともに、前記測光領域の各々において前記第２のセンサー部の出力に応じてその赤外値を測光する測光ステップと、前記輝度値および前記赤外値に応じて前記撮影シーンが前記特定のシーンであるか否かを判別するシーン判別ステップと、を実行させ、前記シーン判別ステップでは、前記特定のシーンとして、蝋燭の光で被写体が照らされるキャンドルシーンであるか否かを判別することを特徴とする。
【発明の効果】
【００１７】
本発明によれば、測光領域毎の輝度値および赤外値に応じて撮影シーンが特定のシーンであるか否かを判別するようにしたので、キャンドルシーンなどの特定の撮影シーンを精度よく判別することができる。その結果、判別結果に応じて露出制御およびフラッシュ発光制御を行うことができる。
【図面の簡単な説明】
【００１８】
【図１】本発明の第１の実施形態によるシーン判別装置を備える撮像装置の一例についてその構成を示す断面図である。
【図２】図１に示す焦点検出用センサーの一例についてその構成を示す図である。
【図３】図１に示す測光用センサーの一例についてその構成を説明するための図であり、（ａ）は測光用センサーの受光面を複数の領域に分割した測光領域を示す図、（ｂ）は測光領域の各々に配置されたカラーフィルタの一例を示す図である。
【図４】図１に示すカメラにおける制御系統の一例を説明するためのブロック図である。
【図５】図４に示すカメラにおける撮影処理の一例を説明するためのフローチャートである。
【図６】図５に示す露出演算処理およびフラッシュ使用判定処理を説明するためフローチャートである。
【図７】光源の分光特性を説明するための図であり、（ａ）は光源の分光特性を概略的に示す図、（ｂ）はＢ（青）、Ｇ（緑）、Ｒ（赤）、およびＩＲ（濃赤〜近赤外）の分光特性を示す図である。
【図８】光源の発光強度の周期的変化説明するための図であり、（ａ）は光源の一つである蛍光灯の発光強度の周期的変化を示す図、（ｂ）は光源の一つであタングステン電球の発光強度の周期的変化を示す図である。
【図９】図４に示すカメラで用いられるキャンドルシーン用プログラム線図である第１の線図の一例を示す図である。
【図１０】図４に示すカメラで用いられる通常用のプログラム線図である第２の線図の一例を示す図である。
【発明を実施するための形態】
【００１９】
以下に、本発明の実施の形態によるシーン判別装置の一例について、図面を参照して説明する。
【００２０】
［第１の実施形態］
図１は、本発明の第１の実施形態によるシーン判別装置を備える撮像装置の一例についてその構成を示す断面図である。
【００２１】
図示の撮像装置は、例えば、レンズ交換可能な一眼レフカメラ（以下単にカメラと呼ぶ）であり、カメラ本体１、交換レンズユニット（以下単に交換レンズと呼ぶ）２、および発光装置（以下フラッシュ装置と呼ぶ）３を有している。
【００２２】
カメラ本体１には、撮像素子１２が備えられており、この撮像素子１２は、例えば、ＣＭＯＳ又はＣＣＤなどのエリア蓄積型の撮像素子である。撮像素子１２の前面側には光学ローパスフィルター１１が配置され、光学ローパスフィルター１１の前にはメカニカルシャッター１０が配置されている。
【００２３】
メカニカルシャッター１０の前段には半透過性の主ミラー１３が配置されている。そして、メカニカルシャッター１０と主ミラー１３との間には第１の反射ミラー１４が配置されている。これら主ミラーおよび第１の反射ミラー１４は、撮影の際には、図中上方に跳ね上がる。つまり、主ミラーおよび第１の反射ミラー１４は、撮影の際には、光軸から退避する。
【００２４】
第１の反射ミラー１４で反射した光の光軸上には、近軸的結像面１５が規定され、この近軸的結像面１５は第１の反射ミラー１４に関して撮像素子１２の結像面と共役な位置にある。
【００２５】
第２の反射ミラー１６は第１の反射ミラー１４で反射した光を反射して、焦点検出用センサー（ＡＦセンサー）２０に導く。第２の反射ミラー１６と焦点検出用センサー２０との間には、赤外カットフィルター１７、絞り１８、および２次結像レンズ１９が配置されている。
【００２６】
なお、絞り１８には２つの開口部が形成されている。焦点検出用センサー２０は、例えば、ＣＭＯＳ又はＣＣＤなどのエリア蓄積型光電変換素子を備えている。
【００２７】
図２は、図１に示す焦点検出用センサー２０の一例についてその構成を示す図である。
【００２８】
焦点検出用センサー２０は、図１に示す絞り１８の２つの開口部にそれぞれ対応する受光センサー部２０Ａおよび２０Ｂを有している。そして、これら受光センサー部２０Ａおよび２０Ｂはそれぞれ多数の受光部に分割されている。
【００２９】
さらに、図示はしないが、焦点検出用センサー２０は信号蓄積および信号処理用の周辺回路などが備えられ、これら周辺回路は受光センサー部２０Ａおよび２０Ｂとともに、同一チップ上に集積されている。
【００３０】
なお、第１の反射ミラー１４、第２の反射ミラー１６、赤外カットフィルター１７、絞り１８、２次結像レンズ１９、および焦点検出用センサー２０までの構成によって、特開平９−１８４９６５号公報に記載されているように、撮影画面における任意の位置で所謂像ずれ方式による焦点検出を行うことができる。
【００３１】
主ミラー１３の上方には、拡散性を有するピント板２１が配置され、ピント板２１の上側にはペンタプリズム２２が配置されている。そして、プリズム２２を通過した光は接眼レンズ２３に入射する。
【００３２】
プリズム２２の近傍には第３の反射ミラー２４が配置され、第３の反射ミラー２４で反射した光は集光レンズ２５を介して測光用センサー２６に導かれる。なお、測光用センサー２６は被写体の輝度を示す輝度情報および色を示す色情報を得るためのものである。そして、測光用センサー２６は、例えば、ＣＭＯＳ又はＣＣＤなどのエリア蓄積型光電変換素子を有している。
【００３３】
図３は、図１に示す測光用センサー２６の一例についてその構成を説明するための図である。そして、図３（ａ）は測光用センサー２６の受光面を複数の領域に分割した測光領域を示す図であり、図３（ｂ）は測光領域の各々に配置されたカラーフィルタの一例を示す図である。
【００３４】
図３（ａ）において、測光用センサー２０はその受光面が複数の領域に分割されて、複数の測光領域が規定されている。そして、測光用センサー２０は、測光領域毎に被写体に関する輝度情報および色情報を出力する。図示の例では、受光面は５行×７列の３５の領域に分割されており、測光領域ＰＤ１〜ＰＤ３５が形成されている。
【００３５】
測光領域ＰＤ１〜ＰＤ３５の各々は、図３（ｂ）に示すように、複数の受光部画素を有しており、測光領域ＰＤ１〜ＰＤ３５の各々には、所定の配列を有するカラーフィルタが配置されている。
【００３６】
図示の例では、Ｂ（青）、Ｇ（緑）、およびＲ（赤）の原色およびＩＲ（濃赤〜近赤外）の４分光色がストライプ状に配列された原色カラーフィルタ２６１が測光領域ＰＤ１〜ＰＤ３５の各々に配置されている。
【００３７】
なお、測光用センサー２６の分光特性に関して後述するが、測光用センサー２６は受光部画素の他に信号増幅および信号処理用の周辺回路などが同一チップ上に集積されている。
【００３８】
再び図１を参照して、ピント板２１、ペンタプリズム２２、および接眼レンズ２３によってファインダー光学系が形成される。測光用センサー（ＡＥセンサー）２６には主ミラー１３によって反射され、さららにピント板２１によって拡散された光のうち光軸外の一部が入射する。
【００３９】
カメラ本体１には交換レンズ（撮影レンズともいう）２を取り付けるためのマウント部２７が設けられている。そして、このマウント部２７には撮影レンズ２と通信を行うための接点部２８が形成されている。さらに、カメラ本体１の上面にはフラッシュ装置３を取り付けるための接続部２９が設けられている。
【００４０】
交換レンズ２は光学レンズ３０ａ〜３０ｅを備えるとともに、絞り３１を有している。さらに、交換レンズ２の後端面には、カメラ本体１と通信を行うための接点部３２が設けられるとともに、交換レンズ２をカメラ本体１に取り付けるためのマウント部３３が設けられている。
【００４１】
フラッシュ装置３は、発光部であるキセノン管３４を有しており、このキセノン管３４は、例えば、反射笠３５の焦点位置に配置される。キセノン管３４の前側には集光用のフレネルレンズ３６が配置されている。
【００４２】
フラッシュ装置３には、キセノン管３４の発光量をモニターするためのモニターセンサー（発光モニター部ともいう）３７が備えられている。そして、フラッシュ装置３には、フラッシュ装置３をカメラ本体１に取り付けるための取り付け部３８が形成されている。
【００４３】
図５は、図１に示すカメラにおける制御系統の一例を説明するためのブロック図である。なお、図５において、図１に示す構成要素と同一の構成要素については同一の参照番号を付す。
【００４４】
カメラ本体１には、カメラ制御部４１が備えられている。カメラ制御部４１は、例えば、演算装置（ＡＬＵ）、ＲＯＭ、ＲＡＭ、Ａ／Ｄコンバータ、タイマー（Ｔｉｍｅｒ）、およびシリアル通信ポート（ＳＰＩ）を内蔵するワンチップマイクロコンピュータである。そして、カメラ制御部４１はカメラ全体の制御を行う。
【００４５】
タイミングジェネレータ（ＴＧ）４２は、カメラ制御部４１の制御下で測光用センサー（ＡＥセンサー）２６における電荷蓄積および電荷読み出しを制御するためのタイミング信号を生成する。焦点検出用センサー（ＡＦセンサー）２０および測光用センサー（ＡＥセンサー）２６の出力信号は、カメラ制御部４１に備えられたＡ／Ｄコンバータの入力端子に入力される。
【００４６】
信号処理回路４３は、カメラ制御部４１の制御下で撮像素子１２を駆動制御して撮像素子１２の出力である画像信号（撮像信号）をＡ／Ｄ変換した後、所定の信号処理を行って画像データとする。さらに、信号処理回路４３は、画像データを記録する際には、圧縮処理などの所定の画像処理を行う。
【００４７】
メモリ４４は、例えば、ＤＲＡＭであり、信号処理回路４３による信号処理の際のワーク用メモリとして用いられる。さらに、メモリ４４は、表示器４５に画像を表示する際のＶＲＡＭとして用いられる。
【００４８】
表示器４５は、例えば、液晶パネルで構成されており、表示器４５には各種の撮影情報および撮像の結果得られた画像が表示される。そして、カメラ制御４１は表示器４５を点灯制御する。記憶部４６は、例えば、フラッシュメモリ又は光ディスク等を備えており、信号処理回路４３は画像データを記憶部４６に記憶する。
【００４９】
図示のように、カメラ制御部４１には第１のモータードライバー４７、レリーズスイッチ（ＳＷ）４９、およびシャッター駆動部５０が接続されている。第１のモータードライバー４７は、カメラ制御部４１の制御下で、主ミラー１３および第１の反射ミラー１４のアップ・ダウン、そして、メカニカルシャッター１０のチャージを行うための第１のモーター４８を駆動する。
【００５０】
レリーズＳＷ４９はカメラ制御部４１に対して撮影開始を指示するためのスイッチである。シャッター駆動部５０は、カメラ制御部４１の制御下でメカニカルシャッター１０を駆動する。
【００５１】
カメラ本体１に備えられた接点部２８は、カメラ制御部４１に備えられたＳＰＩに接続される。さらに、カメラ本体１に備えられた接続部２９は、カメラ制御部４１に備えられたＳＰＩに接続される。
【００５２】
交換レンズ２には、レンズ制御部５１が備えられている。レンズ制御部５１は、例えば、ＡＬＵ、ＲＯＭ、ＲＡＭ、タイマー、およびＳＰＩを内蔵するワンチップマイクロコンピュータである。第２のモータードライバー５２は、レンズ制御部５１の制御下で、焦点調節を行うための第２のモーター５３を駆動する。第３のモータードライバー５４は、レンズ制御部５１の制御下で絞り３１の駆動するための第３のモーター５５を駆動する。
【００５３】
レンズ制御部５１には、距離エンコーダー５６およびズームエンコーダー５７が接続されている。距離エンコーダー５６は焦点調節レンズ（つまり、フォーカスレンズ）の繰り出し量、つまり、被写体距離を示す被写体距離情報を得る。ズームエンコーダー５７は交換レンズ２に備えられたズームレンズの移動に応じて撮影の際に焦点距離を示す焦点距離情報を得る。接点部３２はレンズ制部５１に備えられたＳＰＩに接続される。
【００５４】
交換レンズ２がカメラ本体１に装着されると、接点部２８および３２が接続される。これによって、レンズ制御部５１はカメラ制御部４１とデータ通信が可能となる。そして、レンズ制御部５１は、焦点検出（つまり、測距）および露出演算（つまり、測光）を行うために必要なレンズ固有の光学報、被写体距離情報、および焦点距離情報をカメラ制御部４１に送る。
【００５５】
カメラ制御４１は焦点検出および露出演算によって得られた焦点調節情報および絞り情報をレンズ制御部５１に送る。レンズ制御部５１は焦点調節情報に応じて第２のモータードライバー５２を制御するとともに、絞り情報に応じて第３のモータードライバー５４を制御する。
【００５６】
フラッシュ装置３には、フラッシュ制御部６１が備えられている。図示はしないが、フラッシュ制御部６１は、例えば、ＡＬＵ、ＲＯＭ、ＲＡＭ、Ａ／Ｄコンバータ、タイマー、およびＳＰＩを内蔵するワンチップマイクロコンピュータである。昇圧部６２は、発光部３４であるキセノン管の発光に必要な３００Ｖ程度の高圧電圧を生成して、当該高圧電圧で充電を行う。
【００５７】
フラッシュ装置３がカメラ本体１に装着されると、接続部３８および２９が接続されて、フラッシュ制御部６１はカメラ制御部４１とデータ通信が可能となる。フラッシュ制御部６１はカメラ制御部４１の制御下で昇圧部６２を制御して、キセノン管３４の発光開始および発光停止を行う。さらに、フラッシュ制御部６１は、モニターセンサー３７による検出結果をカメラ制御４１に送る。
【００５８】
図５は、図４に示すカメラにおける撮影処理の一例を説明するためのフローチャートである。なお、図示のフローチャートに係る処理は、カメラ制御部４１の制御下で行われる。
【００５９】
いま、カメラに備えられた電源スイッチ（図示せず）がオンされると、カメラ制御部４１が動作可能となる。そして、カメラ制御部４１はレンズ制御部５１から測距および測光に必要なレンズ情報を得る（ステップＳ１０１：レンズ通信）。
【００６０】
続いて、カメラ制御部４１はＴＧ４２によって焦点検出用センサー２０を制御して電荷蓄積（信号蓄積）を行い、信号蓄積が終了すると焦点検出用センサー２０に蓄積された信号（つまり、電荷）を読み出す（ステップＳ１０２）。そして、カメラ制御部４１は信号電荷をＡ／Ｄ変換して焦点検出用データを得て、焦点検出用データに対してシェーディング補正などのデータ補正を行う。
【００６１】
次に、カメラ制御部４１はレンズ情報および焦点検出用データに応じて焦点検出領域毎に焦点検出を行って焦点検出結果を得る（ステップＳ１０３）。そして、カメラ制御部４１は、合焦させるべき焦点検出領域を決定する。
【００６２】
焦点検出領域の決定に当たっては、例えば、カメラ制御部４１はユーザーに指定された焦点検出領域を合焦させるべき焦点検出領域として決定する。なお、カメラ制御部４１は、主被写体領域を合焦させるべき焦点検出領域として決定するようにしてもよい。
【００６３】
カメラ制御部４１は合焦させるべき焦点検出領域における焦点検出結果に応じて合焦状態とするためのレンズ移動量を算出する。そして、カメラ制御部４１は、当該レンズ駆動量をレンズ制御部５１に送る。レンズ制御部５１は、レンズ駆動量に基づいて第２のモータードライバー５２を制御して第２のモーター５３によって焦点調節用レンズを駆動する（ステップＳ１０３）。これによって、交換レンズ２は主被写体に対して合焦状態となる。
【００６４】
この際、焦点調節用レンズの駆動によって被写体距離情報が変化するので、レンズ制御部５１はレンズ情報を更新する。
【００６５】
続いて、カメラ制御部４１はＴＧ４２を制御して測光用センサー２６について蓄積制御および信号読み出し制御を行う（ステップＳ１０４）。これによって、測光用センサー２６は所定の時間の電荷蓄積を行って信号電荷を出力する。カメラ制御部４１は当該信号電荷をＡ／Ｄ変換して測光用データとしてＲＡＭに格納する。
【００６６】
次に、カメラ制御部４１は、ＲＡＭに格納した測光用データに基づいて、後述するようにして、所定の露出演算処理を行うとともに、フラッシュ撮影を行うか否かの判定処理を行う（ステップＳ１０５）。
【００６７】
ステップＳ１０５の処理に応じて、カメラ制御部４１はフラッシュ撮影を行うか否か、つまり、フラッシュを使用するか否かを判定する（ステップＳ１０６）。フラッシュを使用すると判定すると（ステップＳ１０６において、ＹＥＳ）、カメラ制御部４１は、フラッシュ制御部６１を制御して、昇圧部６２を動作させてフラッシュ発光に十分な高圧電圧を充電する（ステップＳ１０７：フラッシュ充電）。
【００６８】
次に、カメラ制御部４１はレリーズＳＷ４９がオンとなったか否かを確認する（ステップＳ１０８）。レリーズＳＷ４９がオンとならないと（ステップＳ１０８において、ＮＯ）、カメラ制御部４１はステップＳ１０１の処理に戻る。
【００６９】
レリーズＳＷ４９がオンとなると（ステップＳ１０８において、ＹＥＳ）、カメラ制御部４１は、前述のステップＳ１０５においてフラッシュ撮影を行うと判定したか否かをチェックする（ステップＳ１０９）。フラッシュ撮影を行うと判定されている場合には（ステップＳ１０９において、ＹＥＳ）、カメラ制御部４１はフラッシュ制御部６１に対してフラッシュ予備発光を指示する（ステップＳ１１０）。
【００７０】
これによって、フラッシュ制御部６１はキセノン管３４を発光させる（予備発光）。そして、フラッシュ制御部６１はモニターセンサー３７から出力信号を監視して、キセノン管３４による発光量が予め設定された予備発光量となるようにキセノン管３４の発光を制御する。
【００７１】
予備発光が行われると、カメラ制御部４１は、ＴＧ４２を制御して測光用センサー２６について所定の電荷蓄積制御および信号読み出し制御を行う。これによって、測光用センサー２６は、所定の時間、電荷蓄積を行って信号電荷を出力する。そして、カメラ制御部４１は、信号電荷をＡ／Ｄ変換して、発光測光用データに応じて、既知の手法によってフラッシュ本発光量を決定する本発光量演算を行う（ステップＳ１１０）。
【００７２】
続いて、カメラ制御部４１は第１のモータードライバー４７によって第１のモーター４８を駆動し主ミラー１３および第１の反射ミラー１４を跳ね上げる（光軸から退避させる）。そして、カメラ制御部４１は前述の露出演算処理で得られた絞り３１の開度を示す絞り制御情報をレンズ制御部５１に送る。
【００７３】
レンズ制御部５１は絞り制御情報に基づいて第３のモータードライバー５４によって第３のモーター５５を駆動制御して絞り３１を駆動する（ステップＳ１１１）。これによって、交換レンズ（撮影レンズ）２は絞り込み状態となる。
【００７４】
なお、フラッシュ撮影を行わないと判定されている場合には（ステップＳ１０９において、ＮＯ）、カメラ制御部４１は、ステップＳ１１１の処理に進む。
【００７５】
続いて、カメラ制御部４１はシャッター駆動部５０によってシャッター１０を開放状態とする（ステップＳ１１２）。これによって、撮像素子１２には撮影レンズ２から光線（光学像）が入射し撮像が行われる（ステップＳ１１２）。
【００７６】
ここでは、カメラ制御部４１は、前述の露出演算処理で得られたシャッター制御時間および撮像感度に応じて電荷蓄積時間および読み出しゲインを設定して、信号処理回路４３によって撮像素子１２の電荷蓄積制御および信号読み出し制御を行う。
【００７７】
フラッシュ撮影を行う際には、撮像のタイミングに同期して、カメラ制御部４１はフラッシュ制御部６１にフラッシュ発光指示を送る。フラッシュ制御部６１はフラッシュ発光指示に応じてキセノン管３４を発光させて、モニターセンサー３７の出力信号を監視しつつ、キセノン管３４の発光量がステップＳ１１０で得られた本発光量となるようにキセノン管３４の発光を制御する。これによって、フラッシュ発光を用いた撮像が行われる。
【００７８】
撮像が終了すると、カメラ制御部４１はシャッター駆動部５０によってシャッター１０を遮光状態とする（ステップＳ１１３）。これによって、撮像素子１２に入射する光学像が遮断される。
【００７９】
さらに、カメラ制御部４１はレンズ制御部５１に絞り３１を開放する指示を行う。これによって、レンズ制御部５１は第３のモータードライバー５４によって第３のモーター５５を駆動制御して、絞り３１を開放状態とする（ステップＳ１１３）。また、カメラ制御部４１は第１のモータードライバー４７によって第１のモーター４８を駆動制御し、主ミラー１３および第１の反射ミラー１４をダウンさせる（ステップＳ１１３）。
【００８０】
続いて、カメラ制御部４１は信号処理回路４３によって撮像素子１２の出力である画像信号をＡ／Ｄ変換した後、所定の補正処理および補間処理を行う（ステップＳ１１４）。さらに、カメラ制御部４１は信号処理回路４３によってホワイトバランス処理を行う（ステップＳ１１５）。
【００８１】
例えば、信号処理回路４３は画像を複数の領域に分割して、領域毎の色差信号に応じて被写体の白色領域を抽出する。そして、信号処理回路４３は当該白色領域に基づいて画像全体における赤チャンネルおよび青チャンネルについてゲイン補正してホワイトバランス処理を行う。
【００８２】
カメラ制御部４１は信号処理回路４３によってホワイトバランス処理後の画像データを記録ファイルフォーマットに圧縮変換した後、記憶部４６に記憶する。そして、カメラ制御部４１は撮影処理を終了する。
【００８３】
図６は、図５に示す露出演算処理およびフラッシュ使用判定処理を説明するためフローチャートである。
【００８４】
図５で説明したようにして、ＲＡＭに測光用データが格納される。カメラ制御部４１は、測光領域（ブロック）ＰＤ１〜ＰＤ３５毎にＢ、Ｇ、およびＲ成分（分光成分）を加算処理して積分値Ｂ（ｉ）、Ｇ（ｉ）、およびＲ（ｉ）を求める（ステップＳ１５１）。そして、カメラ制御部４１は、積分値Ｂ（ｉ）、Ｇ（ｉ）、およびＲ（ｉ）にそれぞれ所定の係数（ｙ１〜ｙ３）を乗算して、次の式（１）に示すように、測光領域毎の被写体輝度情報Ｙｒ（ｉ）を求める。
【００８５】
Ｙｒ（ｉ）＝ｙ１×Ｂ（ｉ）＋ｙ２×Ｇ（ｉ）＋ｙ３×Ｒ（ｉ）      （１）
但し、ｉ＝１〜３５であり、ｙ１＋ｙ２＋ｙ３＝１である。
【００８６】
ここでは、係数ｙ１を０．２程度、係数ｙ２を０．５程度、ｙ３を０．３程度として、視感度又は撮像素子１２の分光感度に測光用センサー２６の検出輝度の分光特性が近づくようにする。なお、被写体輝度情報Ｙｒ（ｉ）の算出に当たって、赤外ＩＲ（ｉ）を考慮することもある。
【００８７】
カメラ制御部４１は、次の式（２）に示すように、測光領域ＰＤ１〜ＰＤ３５毎の被写体輝度情報Ｙｒ（ｉ）を、２を底とする対数圧縮系に変換関数処理を行う。さらに、カメラ制御部４１はレンズ情報に応じた光学的特性に基づいて測光領域毎の輝度情報Ｓ（ｉ）で補正する補正処理を行って、対数圧縮系における被写体輝度情報Ｙ（ｉ）を求める。
【００８８】
Ｙ（ｉ）＝ｌｏｇ２｛Ｙｒ（ｉ）｝×Ｓ（ｉ）      （２）
なお、一般に、シャッター速度および絞り値は対数系列のステップで設定されるので、上述のように、カメラ制御部４１は対数圧縮系における被写体輝度情報Ｙ（ｉ）を求める。
【００８９】
続いて、カメラ制御部４１は、測光領域ＰＤ１〜ＰＤ３５の各々について、被写体輝度情報Ｙ（ｉ）に基づいて高輝度領域であるか否かを判定する。つまり、カメラ制御部４１は、測光領域ＰＤ１〜ＰＤ３５の各々について、被写体輝度情報Ｙ（ｉ）に基づいて高輝度領域を検出することになる（ステップＳ１５２）。
【００９０】
ここでは、例えば、カメラ制御部４１は、行方向において被写体輝度情報Ｙ（ｉ）が示す輝度値の平均値（行平均値）を求めて、これら行平均値のうち最大値を示す行に位置する測光領域を高輝度領域とする。さらに、カメラ制御部４１は、列方向において被写体輝度情報Ｙ（ｉ）が示す輝度値の平均値（列平均値）を求めて、これら列平均値のうち最大値を示す列に位置する測光領域を高輝度領域とする。
【００９１】
なお、カメラ制御部４１は、水平方向（行方向）の３領域と垂直方向（列方向）の３領域との合計９領域（測光領域群）について、被写体輝度情報Ｙ（ｉ）が示す輝度値に応じてその平均値を求める。そして、カメラ制御部４１はこれら平均値のうち最大値を示す測光領域群を高輝度領域として検出するようにしてもよい。
【００９２】
次に、カメラ制御部４１は、被写体輝度情報Ｙ（ｉ）を用いて画像全体の平均輝度値Ｙａを求める（ステップＳ１５３）。ここでは、カメラ制御部４１は、例えば、被写体輝度情報Ｙ（ｉ）が示す輝度値を単純平均して平均輝度値Ｙａを求める。なお、カメラ制御部４１は、画像の中央部又は前述の合焦領域における重み付けを他の測光領域における重み付けよりも大きくして平均輝度値Ｙａを求めるようにしてもよい。
【００９３】
続いて、カメラ制御部４１は、積分値Ｂ（ｉ）、Ｇ（ｉ）、およびＲ（ｉ）に基づいて、画像全体における平均色値Ｂａ、Ｇａ、Ｒａ、およびＩＲａを計算する（ステップＳ１５４）。なお、平均色値ＩＲａは赤外値ＩＲ（ｉ）を単純平均値して求められる。さらには、画像の中央部又は前述の合焦領域における重み付けを他の測光領域における重み付けよりも大きくして平均色値ＩＲａを求めるようにしてもよい。そして、平均色値Ｂａ、Ｇａ、およびＲａの各々についても同様に求められる。
【００９４】
次に、カメラ制御部４１は平均輝度値Ｙａが予め定められた第１の条件を満たし、かつ平均色値ＩＲａ（以下平均ＩＲ値（平均赤外値）ともいう）が予め定められた第２の条件を満たすか否かを判定する（ステップＳ１５５）。
【００９５】
ステップＳ１５５の処理においては、カメラ制御部４１は撮影シーンがキャンドルシーン（蝋燭の光のみで主被写体が照らされるシーン）らしいシーンであるか否かについて、被写体輝度およびＩＲ分光の感度に応じて判定する。ここでは、カメラ制御部４１は、平均輝度値Ｙａが、例えば、日中の屋外のように高い輝度値（所定の輝度値以上）であると第１の条件を満たさないとする。つまり、カメラ制御部４１は、平均輝度値Ｙａが所定の輝度値よりも小さい場合に所定の条件を満たすと判定する。さらに、カメラ制御部４１は、平均色値ＩＲａについては、平均輝度値Ｙａとの比率が所定の値以上であると第２の条件を満たすと判定する。
【００９６】
図７は、光源の分光特性を説明するための図である。そして、図７（ａ）は光源の分光特性を概略的に示す図であり、図７（ｂ）はＢ（青）、Ｇ（緑）、Ｒ（赤）、およびＩＲ（濃赤〜近赤外）の分光特性を示す図である。
【００９７】
図７（ａ）において、横軸は光の波長を示し、その単位はｎｍである。縦軸は相対的な光の強度を示す。実線で示す分光特性８１は、ろうそく光の分光特性を示し、可視光領域のうち短波長側の光強度が低く、長波長になる程光強度が高くなる。そして、分光特性８１は近赤外領域における光強度も高い。
【００９８】
破線で示す分光特性８２はタングステン電球光の分光特性を示し、ろうそく光と同様に可視光領域のうち短波長側の光強度が低く、長波長になる程光強度が高くなる。そして、分光特性８２は近赤外領域においても光強度がより高くなる傾向がある。
【００９９】
破線で示す分光特性８３は電球色蛍光灯の分光特性を示し、電球色蛍光灯では蛍光体による輝線スペクトルが幾つか組み合わされて発光している。これによって、電球色蛍光灯においては、相対的に青色および緑色に対して赤色の輝線スペクトルピークを高めて暖色系の発光色としている。そして、分光特性８３においては６５０ｎｍを超える濃赤〜赤外域波長成分はごくわずかしか含まれていない。
【０１００】
なお、蛍光体による輝線スペクトルが幾つか組み合わされて発光している電球色ＬＥＤの分光特性も電球色蛍光灯の分光特性に類似する。
【０１０１】
図７（ｂ）において、横軸は光の波長を示し、その単位はｎｍである。また、縦軸は相対的な光の強度を示す。破線で示す分光特性９１はＢ（青）分光画素の分光特性を示し、破線で示す分光特性９２はＧ（緑）分光画素の分光特性を示す。また、一点鎖線で示す分光特性９３はＲ（赤）分光画素の分光特性を示し、実線で示す分光特性９４はＩＲ（濃赤〜近赤外）分光画素の分光特性を示す。図示のように、ＩＲ（濃赤〜近赤外）分光画素は凡そ６５０ｎｍを超える長波長領域の光を選択する。
【０１０２】
一般に、測光用センサー（カラー撮像センサー）はＢ（青）、Ｇ（緑）、およびＲ（赤）の３分光画素を有している。このようなカラー撮像センサーにおいて、図７（ａ）に示す３種の光源で照明された被写体を測光すると、いずれの光源下においてもＢ（青）、Ｇ（緑）、およびＲ（赤）の出力比率が類似する値となって光源を区別することが難しい。
【０１０３】
一方、カラー撮像センサーがＩＲ（濃赤〜近赤外）分光画素を有する場合には、濃赤〜近赤外成分が殆ど存在しない電球色蛍光灯および電球色ＬＥＤと、濃赤〜近赤外成分が一定以上存在するろうそく光又はタングステン電球光とを区別することが容易となる。
【０１０４】
再び図６を参照して、平均輝度値Ｙａが第１の条件を満足し、かつ平均色値ＩＲａが第２の条件を満足すると（ステップＳ１５５において、ＹＥＳ）、カメラ制御部４１は撮影シーンがキャンドルシーンである可能性があるとする。そして、カメラ制御部４１は平均色値Ｂａ、Ｇａ、およびＲａを用いて、比率Ｒａ／ＧａおよびＢａ／Ｇａを求める。その後、カメラ制御部４１は比率Ｂａ／Ｇａに対して比率Ｒａ／Ｇａが予め定められた一定の値（判定閾値）以上であるか否かを判定する（ステップＳ１５６）。比率Ｂａ／Ｇａに対して比率Ｒａ／Ｇａが予め定められた一定の値（判定閾値）以上であるか否かは、例えば、比率Ｂａ／Ｇａと比率Ｒａ／Ｇａの差の絶対値が一定の値（判定閾値）以上であるかで判定すればよい。あるいは、比率Ｂａ／Ｇａに対して比率Ｒａ／Ｇａが予め定められた一定の値（判定閾値）以上であるか否かの代わりに、平均色値ＢａおよびＲａを用いて比率Ｒａ／Ｂａを求めて、比率Ｒａ／Ｂａが一定の値（判定閾値）以上であるかで判定してもよい。
【０１０５】
ここでは、撮影シーンキャンドルシーンであれば、画像全体に赤みが多く、青味が少ないことになり、比率Ｂａ／Ｇａに対して比率Ｒａ／Ｇａが予め定められた一定の値以上であれば、撮影シーンはキャンドルシーンであると判定される。但し、衣服の色などの被写体の色によっても上記の比率は変化するので、判定閾値には被写体の色などを考慮して設定される。
【０１０６】
比率Ｂａ／Ｇａに対して比率Ｒａ／Ｇａが判定閾値以上であると（ステップＳ１５６において、ＹＥＳ）、カメラ制御部４１は平均輝度値Ｙａの時間変化を求めて、平均輝度Ｙａの輝度の時間変化に周期性があるか否かをチェックする（ステップＳ１５７）。つまり、カメラ制御部４１は平均輝度Ｙａの時間的変化が不規則でかつ低周波の明／暗変化が存在するか否かをチェックすることになる。
【０１０７】
図８は、光源の発光強度の周期的変化説明するための図である。そして、図８（ａ）は光源の一つである蛍光灯の発光強度の周期的変化を示す図であり、図８（ｂ）は光源の一つであるタングステン電球の発光強度の周期的変化を示す図である。
【０１０８】
商用電源で駆動される蛍光灯などにはフリッカーと呼ばれる発光強度の周期的変化が存在することが知られている。図８（ａ）および図８（ｂ）において、横軸は時間（秒）を示し、縦軸は相対的な発光強度を示す。５０Ｈｚの商用電源で駆動される蛍光灯においては、電源周波数の２倍の１００Ｈｚ、つまり、０．１秒周期の規則性をもって発光強度の明／暗変化が生じる（図８（ａ）参照）。
【０１０９】
一方、商用電源で駆動されるタングステン電球においてはフィラメントの残光効果によって蛍光灯のようにはっきりとしたフリッカーは観測されず、振幅が小さい周期的な発光強度の明／暗変化が存在する（図８（ｂ）参照）。
【０１１０】
また、ろうそくは商用電源で駆動されるわけではないので、電源周波数に依存する周期性を有する発光強度の明／暗変化は存在せず、周辺の空気の対流などに起因する炎のゆらぎによる不規則かつ低周波の明／暗変化が存在する。
【０１１１】
平均輝度値Ｙａの時間変化を、例えば、１ｍｓ〜２ｍｓ程度の間隔で一定の時間検出して、発光強度の明／暗変化の強度および周期を観測すれば、撮影シーンに商用電源に依存する周期的フリッカーが存在するか又は不規則な明／暗変化が存在するかを判定することができる。
【０１１２】
再び図６を参照して、平均的輝度値Ｙａの時間変化が不規則でかつ低周波の明／暗変化が存在すると（ステップＳ１５７において、ＹＥＳ）、カメラ制御部４１は、前述のようにして検出した高輝度領域が明るくなり過ぎないようにするため、測光領域ＰＤ１〜ＰＤ３５の被写体輝度情報Ｙ（ｉ）に応じて高輝度領域について重み付けを大きくする。そして、カメラ制御部４１は重み付け平均演算を行って平均被写体輝度値（以下単に被写体輝度値と呼ぶ）Ｂｖ（Ａ）を求める（ステップＳ１５８）。
【０１１３】
なお、被写体輝度値Ｂｖ（ａ）を求める際には、カメラ制御部４１は測光領域ＰＤ１〜ＰＤ３５から高輝度領域を含む所定の範囲の測光領域を選択して、当該選択した測光領域のみの被写体輝度情報を用いて被写体輝度値Ｂｖ（Ａ）を求めるようにしてもよい。さらには、カメラ制御部４１は平均輝度値Ｙａと高輝度領域の輝度値との差分を求める。そして、カメラ制御部４１は当該差分に所定の係数を乗算して、その乗算結果と平均輝度値Ｙａとを加算した加算値を被写体輝度値をＢｖ（Ａ）とするようにしてもよい。
【０１１４】
続いて、カメラ制御部４１は被写体輝度値Ｂｖ（Ａ）に基づいて、キャンドルシーン用のプログラム線図を用いてシャッター速度、絞り値、および撮影感度などの露出因子（制御値）を決定する（ステップＳ１５９）。さらには、カメラ制御部４１は、後述するようにして、フラッシュを使用するか否かを判定する。
【０１１５】
図９は、図４に示すカメラで用いられるキャンドルシーン用プログラム線図である第１の線図の一例を示す図である。
【０１１６】
図９において、横軸は被写体輝度値Ｂｖ（Ａ）を示し、縦軸はそれぞれシャッター速度（Ｔｖ）、絞り値（Ａｖ）、および撮影感度（ＩＳＯ）を示す。
【０１１７】
いま、被写体輝度値Ｂｖ（Ａ）＝４であると、図９においてはシャッター速度（Ｔｖ）は１／６０秒、絞り値（Ａｖ）はＦ２．８、そして、撮影感度（ＩＳＯ）はＩＳＯ１００とされる。
【０１１８】
一方、被写体輝度値Ｂｖ（Ａ）が４よりも明るい場合には、撮影感度はＩＳＯ１００に固定され、シャッター速度（Ｔｖ）および絞り値（Ａｖ）はそれぞれ被写体輝度Ｂｖ（Ａ）が１段明るくなる毎に、０．５段分変化させる。被写体輝度値Ｂｖ（Ａ）が−１以上で４未満の範囲においては、シャッター速度（Ｔｖ）は１／６０秒、絞り値（Ａｖ）はＦ２．８に固定され、撮影感度をＩＳＯ３２００からＩＳＯ１００の範囲で変化させる。
【０１１９】
被写体輝度値Ｂｖ（Ａ）が−１以上の場合には、カメラ制御部４１は自然光撮影で適正露出できる判定してフラッシュ発光を行わない。被写体輝度値Ｂｖ（Ａ）が−１未満になると、カメラ制御部４１はシャッター速度（Ｔｖ）を１／６０秒、絞り値（Ａｖ）をＦ２．８、そして、撮影感度をＩＳＯ３２００に固定として、フラッシュ撮影を行うと判定する。
【０１２０】
図示の例では、キャンドルシーンにおける撮影感度の上限をＩＳＯ３２００とし、手振れおよび被写体ぶれなどを考慮してシャッター速度（Ｔｖ）の低速限界を１／６０秒、撮影レンズの開放又は被写体深度などに応じて最大Ｆ値を２．８としている。
【０１２１】
ステップＳ１５９の処理を終了すると、カメラ制御部４１は、図５に示すステップＳ１０６の処理に進む。
【０１２２】
平均輝度値Ｙａが第１の条件を満足し、かつ平均色値ＩＲａが第２の条件を満足しないと（ステップＳ１５５において、ＮＯ）、カメラ制御部４１は、画像中央部又は合焦領域について重み付けを大きくして測光領域ＰＤ１〜ＰＤ３５の被写体輝度情報Ｙ（ｉ）に応じて重み付け平均演算を行って被写体輝度値Ｂｖ（Ａ）を求める（ステップＳ１６０）。
【０１２３】
続いて、カメラ制御部４１は被写体輝度値Ｂｖ（Ａ）に基づいて、通常シーン用のプログラム線図を用いてシャッター速度、絞り値、および撮影感度などの露出因子（制御値）を決定する（ステップＳ１６１）。さらには、カメラ制御部４１は、後述するようにして、フラッシュを使用するか否かを判定する。
【０１２４】
図１０は、図４に示すカメラで用いられる通常用のプログラム線図である第２の線図の一例を示す図である。
【０１２５】
図１０において、横軸は被写体輝度値Ｂｖ（Ａ）を示し、縦軸はそれぞれシャッター速度（Ｔｖ）、絞り値（Ａｖ）、および撮影感度（ＩＳＯ）を示す。
【０１２６】
いま、被写体輝度値Ｂｖ（Ａ）＝４であると、図１０においてはシャッター速度（Ｔｖ）は１／６０秒、絞り値（Ａｖ）はＦ２．８、そして、撮影感度（ＩＳＯ）はＩＳＯ１００とされる。
【０１２７】
一方、被写体輝度値Ｂｖ（Ａ）が４よりも明るい場合には、撮影感度はＩＳＯ１００に固定され、シャッター速度（Ｔｖ）および絞り値（Ａｖ）はそれぞれ被写体輝度Ｂｖ（Ａ）が１段明るくなる毎に、０．５段分変化させる。被写体輝度値Ｂｖ（Ａ）が１以上で４未満の範囲においては、シャッター速度（Ｔｖ）は１／６０秒、絞り値（Ａｖ）はＦ２．８に固定され、撮影感度をＩＳＯ８００からＩＳＯ１００の範囲で変化させる。
【０１２８】
被写体輝度値Ｂｖ（Ａ）が１以上の場合には、カメラ制御部４１は自然光撮影で適正露出できる判定してフラッシュ発光を行わない。被写体輝度値Ｂｖ（Ａ）が１未満になると、カメラ制御部４１はシャッター速度（Ｔｖ）を１／６０秒、絞り値（Ａｖ）をＦ２．８、そして、撮影感度をＩＳＯ８００に固定として、フラッシュ撮影を行うと判定する。
【０１２９】
図示の例では、通常シーンにおける撮影感度の上限をＩＳＯ８００とし、手振れおよび被写体ぶれなどを考慮してシャッター速度（Ｔｖ）の低速限界を１／６０秒、撮影レンズの開放又は被写体深度などに応じて最大Ｆ値を２．８としている。
【０１３０】
ステップＳ１６１の処理を終了すると、カメラ制御部４１は、図５に示すステップＳ１０６の処理に進む。
【０１３１】
なお、比率Ｂａ／Ｇａに対して比率Ｒａ／Ｇａが判定閾値未満であると（ステップＳ１５６において、ＮＯ）、カメラ制御部４１はステップＳ１６０の処理に進む。また、平均的輝度値Ｙａの時間変化が不規則でかつ低周波の明／暗変化が存在しないと（ステップＳ１５７において、ＮＯ）、カメラ制御部４１はステップＳ１６０の処理に進む。
【０１３２】
ここで、図１０に示す第２の線図と図９に示す第１の線図とを比較すると、自然光撮影とフラッシュ撮影とを切り替える被写体輝度値Ｂｖ（Ａ）が異なる。第２の線図においては、撮影感度の上限をＩＳＯ８００としているので、被写体輝度値Ｂｖ（Ａ）が１未満になるとフラッシュ撮影に切り替わるが、第１の線図においては撮影感度の上限をＩＳＯ３２００としているの、より低輝度である被写体輝度値Ｂｖ（Ａ）が−１未満になるとフラッシュ撮影に切り替わる。
【０１３３】
撮影感度を高くするとその分画像ノイズなどが増加することがあるが、キャンドルシーンにおいては自然光撮影を行った方が見た目に近い良好な雰囲気の画像を得ることができる。
【０１３４】
このように、本発明の実施の形態では、撮影シーンがキャンドルシーンなどの特定のシーンであるか否かを判別して、その判別結果に応じて、露出制御およびフラッシュ制御の際に用いるプログラム線図を変更する。これによって、特定のシーンであるか否かに応じた露出制御およびフラッシュ発光制御を行うことができる。
【０１３５】
なお、上述の実施の形態では、フラッシュ装置３はカメラ本体１に着脱可能であるとしたが、フラッシュ装置３はカメラ本体１に固定されていてもよい。さらには、図６において、ステップＳ１５３では画像全体の平均輝度値を求めるようにしたが、画像における高輝度領域について平均輝度値を求めるようにしてもよい。そして、ステップＳ１５４においては高輝度領域における平均色値を求めるようにしてもよい。
【０１３６】
上述の説明から明らかなように、図４に示す例では、測光用センサー（ＡＥセンサー）２６、ＴＧ４２、およびカメラ制御部４１が測光手段として機能し、カメラ制御部４１がシーン判別手段として機能する。
【０１３７】
さらに、カメラ制御部４１が算出手段および設定手段として機能し、カメラ制御部４１およびフラッシュ制御部６１が発光制御手段として機能する。
【０１３８】
なお、図示の例では、少なくとも測光用センサー（ＡＥセンサー）２６、ＴＧ４２、およびカメラ制御部４１がシーン判別装置を構成する。
【０１３９】
以上、本発明について実施の形態に基づいて説明したが、本発明は、これらの実施の形態に限定されるものではなく、この発明の要旨を逸脱しない範囲の様々な形態も本発明に含まれる。
【０１４０】
例えば、上記の実施の形態の機能を制御方法として、この制御方法をシーン判別装置に実行させるようにすればよい。また、上述の実施の形態の機能を有するプログラムを制御プログラムとして、当該制御プログラムをシーン判別装置が備えるコンピュータに実行させるようにしてもよい。なお、制御プログラムは、例えば、コンピュータに読み取り可能な記録媒体に記録される。
【０１４１】
また、本発明は、以下の処理を実行することによっても実現される。つまり、上述した実施形態の機能を実現するソフトウェア（プログラム）を、ネットワーク又は各種の記録媒体を介してシステム或いは装置に供給し、そのシステム或いは装置のコンピュータ（またはＣＰＵやＭＰＵなど）がプログラムを読み出して実行する処理である。
【符号の説明】
【０１４２】
１  カメラ本体
２  交換レンズ
３  フラッシュ装置
１２  撮像素子
２０  焦点検出用センサー
２６  測光用センサー
４１  カメラ制御部
４３  信号処理回路
５１  レンズ制御部
６１  フラッシュ制御部
【図１】
0006388392.tif 000002
【図２】
0006388392.tif 000003
【図３】
0006388392.tif 000004
【図４】
0006388392.tif 000005
【図５】
0006388392.tif 000006
【図６】
0006388392.tif 000007
【図７】
0006388392.tif 000008
【図８】
0006388392.tif 000009
【図９】
0006388392.tif 000010
【図１０】
0006388392.tif 000011